(57)【特許請求の範囲】
【請求項１】
キー入力によって入力された文字を、携帯通信機器に予め登録された辞書を参照しながら変換する変換手段を備えた携帯端末システムであって、
一般的に使用する一般単語からなる標準辞書を登録する標準辞書登録部と、特定用途に使用される特定単語からなる特定辞書を一つ又は複数登録する特定辞書登録部とを有する携帯通信機器と、
この携帯通信機器とは別体に設けられ、複数の前記特定辞書を記憶する記憶手段を備える他の携帯通信機器と、
前記携帯通信機器と前記他の携帯通信機器の記憶手段とを接続し、前記記憶手段から前記携帯通信機器への前記特定辞書の送信を可能にする接続手段と、
前記携帯通信機器に備えられ、当該携帯通信機器の前記特定辞書登録部に登録された前記特定辞書の削除を行うとともに、前記記憶手段に記憶された複数の前記特定辞書の中からユーザが任意に選択した一つ又は複数の前記特定辞書を、前記接続手段を介して前記携帯通信機器の前記特定辞書登録部に登録する登録・削除手段と、を備え、
前記接続手段が、前記記憶手段を備えた他の携帯通信機器と前記携帯通信機器とを接続する通信回線からなり、
一の前記携帯通信機器と他の前記携帯通信機器とが通信回線で接続されて通信可能になったときに、前記一の携帯通信機器が前記他の携帯通信機器の特定辞書登録部に登録されている特定辞書と、自己の特定辞書登録部に登録されている特定辞書とを比較し、両者に相違がある場合に、前記通信回線を介して前記他の携帯通信機器の前記特定辞書登録部から前記特定辞書を読み出して、当該特定辞書を前記一の携帯通信機器の前記特定辞書登録部に登録するとともに、
前記特定辞書登録部内の特定辞書を参照して変換候補の単語を優先させて表示し、次に、標準辞書登録部内の標準辞書を参照する
ことを特徴とする携帯端末システム。
【請求項２】
前記特定辞書は、技術分野ごとの専門用語からなる専門用語辞書、会話で使用される口語単語からなる口語辞書又は各地方で用いられる方言からなる方言辞書を含むことを特徴とする請求項１に記載の携帯端末システム。
【請求項３】
前記携帯通信機器が携帯電話、ＰＨＳ又は小型モバイルであることを特徴とする請求項１又は２に記載の携帯端末システム。
【発明の詳細な説明】
【０００１】
【発明の属する技術分野】
本発明は、携帯電話、ＰＨＳ又は小型モバイル等の携帯通信機器を主構成要素とする携帯端末システムに関し、特に、キー入力によって入力された文字、例えばかな文字を、予め登録された辞書を参照しながら例えば漢字に変換する変換手段を備えた携帯端末システムに関する。
【０００２】
【従来の技術】
近年、携帯電話やＰＨＳ、小型モバイル等に代表される携帯通信機器の普及が急速に進んでいる。そして、メモリ等の記憶容量の大容量化及び通信の高速化に相俟って、日本語入力による電子メールの作成と送信が、これら携帯通信機器の間で盛んに行われるに至っている。このような傾向は、高速大容量通信の発展とともに、今後もますます顕著になると予測されている。
一方で、これら携帯通信機器の小型化、多機能化及び高速大容量通信化にメモリ等の記憶媒体の大容量化が追いつかず、したがって、携帯通信機器における日本語変換システムの辞書機能が大幅に制限されているのが現状である。
【０００３】
ところで、最近では、携帯通信機器で作成された電子メールのやりとりが、若年齢層では会話で用いられる口語体で行われることが一般的になってきている。また、工場や建築現場等から本社のパソコンに電子メールに報告書等を送信することにも携帯通信機器が使用されるに至っている。
そのため、携帯通信機器に登録されている辞書が標準辞書だけであると、上記したような口語体の単語や専門用語等の変換効率がきわめて悪く、文章を作成するのに手間取り、使い勝手が悪いという問題がある。
【０００４】
【発明が解決しようとする課題】
本発明は上記の問題点にかんがみてなされたもので、口語体の文章で電子メールを作成する場合や、ビジネス上の専門用語を使って電子メールの作成を行うような場合に、これら単語の変換効率に優れ、かつ、状況に応じて辞書機能を切り換えることであらゆる場面で使い勝手のよい携帯端末システムを提供することを目的とする。
【０００５】
【課題を解決するための手段】
上記の目的を達成するために、本発明は、キー入力によって入力された文字を、携帯通信機器に予め登録された辞書を参照しながら変換する変換手段を備えた携帯端末システムであって、一般的に使用する一般単語からなる標準辞書を登録する標準辞書登録部と、特定用途に使用される特定単語からなる特定辞書を一つ又は複数登録する特定辞書登録部とを有する携帯通信機器と、この携帯通信機器とは別体に設けられ、複数の前記特定辞書を記憶する記憶手段と、前記携帯通信機器と前記記憶手段とを接続し、前記記憶手段から前記携帯通信機器への前記特定辞書の送信を可能にする接続手段と、前記携帯通信機器の前記特定辞書登録部に登録された前記特定辞書の削除を行うとともに、前記記憶手段に記憶された複数の前記特定辞書の中からユーザが任意に選択した一つ又は複数の前記特定辞書を、前記接続手段を介して前記携帯通信機器の前記特定辞書登録部に登録する登録・削除手段とを有する構成としてある。
【０００６】
この構成によれば、携帯通信機器は、口語辞書や専門用語辞書等の特定辞書を、削除したり追加したりすることが可能である。前記特定辞書は、携帯通信機器とは別体に設けられた記憶手段に記憶されている。記憶手段に記憶された特定辞書の中から所定の特定辞書を選択して携帯通信機器へインストールし、当該特定辞書を用いることで、日本語変換を効率良く行うことが可能になる。
【０００７】
また、本発明は、前記特定辞書は、技術分野ごとの専門用語からなる専門用語辞書、会話で使用される口語単語からなる口語辞書又は各地方で用いられる方言からなる方言辞書を含む構成としてある。
このように、特定辞書としては日常会話で使用される口語辞書、自動車やコンピュータ、ゲームといった趣味や仕事に関する専門用語辞書、各地の方言に関する方言辞書等、多種多様な特定辞書を予め用意することで、日本語変換を効率良く行うことができる幅を広げることができる。
【０００８】
また、本発明は、前記接続手段が、前記記憶手段と前記携帯通信機器とを接続する通信回線で、前記通信回線を介して前記特定辞書を前記携帯通信機器の前記特定辞書登録部に登録するように構成してある。
この構成によれば、携帯通信機器への辞書の登録は、通信回線を利用してサーバ等の記憶手段からダウンロードすることが可能である。
【０００９】
また、本発明は、前記記憶手段が、通信回線で接続が可能な他の携帯通信機器である構成としてある。
前記記憶手段は、パソコンやサーバに限らず、他の携帯通信機器であってもよい。このようにすることで、他の携帯通信機器に登録された特定辞書を、通信回線を介して一の携帯通信機器にインストールすることが可能になる。
【００１０】
また、本発明は、一の前記携帯通信機器と他の前記携帯通信機器とが通信回線で接続されて通信可能になったときに、前記一の携帯通信機器が前記他の携帯通信機器の特定辞書登録部に登録されている特定辞書と、自己の特定辞書登録部に登録されている特定辞書とを比較し、両者に相違がある場合に、前記他の携帯通信機器の前記特定辞書登録部から前記特定辞書を読み出す構成としてある。
このように構成すれば、特定の情報のやりとりを行う複数の携帯通信機器間で、特定辞書の共有化を図ることができるようになる。
【００１１】
また、本発明は、前記登録・削除手段が、前記携帯通信機器に設けられている構成としてある。
前記登録・削除手段は、携帯通信機器とは別体に設けるものとしてもよいが、携帯通信機器に内蔵させることも可能である。
【００１２】
また、本発明は、前記特定辞書登録部内の特定辞書を参照して変換候補の単語を表示し、次に、標準辞書登録部内の標準辞書を参照するようにしてある。
このようにすることによって、ユーザが必要として登録した辞書登録部の変換候補が先に現れるようになり、日本語変換効率の向上を図ることができる。
本発明は、近年普及が著しい携帯電話やＰＨＳ、小型モバイル等の携帯通信機器に適用することで、特に顕著な効果を奏することができるものである。
【００１３】
【発明の実施形態】
本発明の好適な実施形態を、図面を参照しながら詳細に説明する。
［第一の実施形態］
図１は本発明の第一の実施形態にかかる携帯端末システムの構成を説明する図である。
携帯端末システム１００は、文書を作成し、電子メールとして送付することが可能な携帯電話やＰＨＳ、小型モバイル等の携帯通信機器１１０と、この携帯通信機器１１０にデータ通信ケーブル等の接続ケーブル１３０を介して接続されるパソコン１２０とを有している。
【００１４】
パソコン１２０にはハードディスク等の記憶部１２０ａが設けられ、この記憶部１２０ａには、携帯通信機器１１０において日本語の変換を行うときに参照される各種の辞書が分類されて格納されている。この実施形態では、パソコン１２０には、日常会話等で用いられる口語からなる口語辞書１２１と、ゲームやコンピュータ、自動車等の専門用語からなる専門用語辞書１２２、北海道や青森等、各地の方言からなる方言辞書１２３が格納されている。携帯通信機器１１０には、標準辞書が格納される標準辞書登録部１１１と、専門用語辞書や口語辞書、方言辞書等の特定辞書が格納される特定辞書登録部１１２とが設けられている。
【００１５】
標準辞書は始めから標準辞書登録部１１１に登録されていて、削除することができないようになっている。なお、標準辞書は、単語単位での登録・削除は可能とするのがよい。また、特定辞書は、特定辞書登録部１１２に対して登録の追加、変更及び削除が可能で、携帯通信機器１１０のメモリ容量の許容範囲内で複数登録可能とするのが好ましい。
【００１６】
この実施形態では、パソコン１２０が、携帯通信機器１１０の特定辞書登録部１１２に登録された特定辞書の削除を行うとともに、パソコン１２０の記憶部１２０ａに格納された複数の特定辞書１２１，１２２，１２３の中からユーザが任意に選択した一つ又は複数の特定辞書を、携帯通信機器１１０の特定辞書登録部１１２に登録する登録・削除手段としての機能を有する。
携帯通信機器１１０に設けられた日本語変換システムは、携帯通信機器１１０内に登録された辞書のうち、まず特定辞書登録部１１２内の特定辞書を参照して変換候補の単語をディスプレイ１１５に表示し、次に標準辞書登録部１１１内の標準辞書を参照するようにする。このようにすることによって、ユーザが必要とする変換候補を優先させて表示することができ、変換効率を向上させることができるという利点がある。
【００１７】
図２は、この第一の実施形態における携帯端末システムの作用を説明するためのフローチャートである。
以下の説明では、パソコン１２０の記憶部１２０ａから、口語辞書と専門用語辞書「ゲーム」とを、携帯通信機器１１０の特定辞書登録部１１２に登録するものとして説明する。
特定辞書の変更や追加を行う場合には、まず、携帯通信機器１１０とパソコン１２０とを接続ケーブル１３０で接続する（ステップＳ１１）。次いで、携帯通信機器１１０に特定辞書をインストールするためのアプリケーションを起動させ、パソコン１２０の画面上に携帯通信機器１１０の特定辞書登録部１１２に現在格納されている辞書を表示させる（ステップＳ１２）。
【００１８】
特定辞書登録部１１２に不要な特定辞書が登録されている場合、あるいは、特定辞書登録部１１２に新たに特定辞書を追加することが不可能である場合には、不要な特定辞書を特定辞書登録部１１２から削除する。この場合、特定辞書の削除を行うかどうかを、パソコン１２０の画面上でユーザに問い合わせる（ステップＳ１３）。そして、不要辞書を削除する場合には、図示しないパソコン１２０の削除キーを操作して、当該不要辞書を削除する（ステップＳ１４）。
この後、パソコン１２０の画面上には、ハードディスク等の記憶部１２０ａに格納された特定辞書１２１〜１２３の内容が一覧として表示される（ステップＳ１５）。
【００１９】
ユーザは、この一覧の中から所望の特定辞書を選択する。この実施形態では、口語辞書１２１と専門用語辞書１２２の「ゲーム」とを選択する（ステップＳ１６）。
次いで、選択した特定辞書を、パソコン１２０から接続ケーブル１３０を介して携帯通信機器１１０に送り、特定辞書登録部１１２に登録する（ステップＳ１７）。以上の作業終了後に、接続ケーブル１３０によるパソコン１２０と携帯通信機器１１０との接続を解除して（ステップＳ１８）、作業を終了する。
【００２０】
この実施形態では、パソコン１２０と携帯通信機器１１０とを接続ケーブル１３０で接続して、パソコン１２０内の記憶部１２０ａから携帯通信機器１１０の特定辞書登録部１１２に所定の特定辞書を送るように構成しているが、携帯通信機器１１０の特定辞書登録部１１２への辞書の登録は、電話回線等の通信回線を利用して、サーバ等の記憶手段からダウンロードすることによって行うことができる。
また、パソコン１２０のハードディスク等に格納された特定辞書の読み出しや登録は、携帯通信機器１１０のキー操作によって行うようにすることも可能である。
【００２１】
［第二の実施形態］
次に、本発明の第二の実施形態を、図３及び図４を参照しながら説明する。
図３は、本発明の第二の実施形態にかかる携帯端末システムの構成を説明する図、図４は、第二の実施形態における携帯端末システムの作用を説明するためのフローチャートである。
この実施形態の携帯端末システム２００は、第一の実施形態と同じ構成を有する複数の携帯通信機器２１０，２２０で構成される。そして、通信回線２３０を介して、携帯通信機器２１０，２２０間で特定辞書の授受が行われるようになっている。
すなわち、この実施形態では、携帯通信機器２１０，２２０が互いに相手方の記憶手段として作用するわけである。
また、この実施形態では、携帯通信機器２１０，２２０の特定辞書登録部２１２，２２２に登録された特定辞書の削除、特定辞書登録部２１２，２２２への特定辞書の登録は、予め機能設定された携帯通信機器２１０，２２０のキーを操作することによって行う。
【００２２】
上記構成の携帯端末システム２００の作用を、図４のフローチャートを参照しながら説明する。
以下の説明では、一方の携帯通信機器２１０に、通信の相手方である他方の携帯通信機器２２０から所定の特定辞書（専門用語辞書「ゲーム」）を読み込むものとして説明する。
まず、通信開始と同時に、他方の携帯通信機器２２０から、特定辞書登録部２２２内の特定辞書のリストが、一方の携帯通信機器２１０に送信されてくる（ステップＳ２１）。このリストは、携帯通信機器２１０のディスプレイ２１５に表示される。
【００２３】
次いで、他方の携帯通信機器２２０が有している特定辞書と、一方の携帯通信機器２１０の特定辞書とを比較し（ステップＳ２２）、両携帯通信機器２１０，２２０の特定辞書の違いを判断する。この比較・判断は、携帯通信機器２１０のディスプレイ２１５に、両携帯通信機器２１０，２２０内の特定辞書を表示させ、ユーザが目視によって行うようにしてもよいし、自動判断させるようにしてもよい。
【００２４】
両者が同一である場合には、新たに登録すべき特定辞書が他方の携帯通信機器２２０に存在しないので、登録手続きを行うことなく、電子メール等の作成を行う（ステップＳ２８）。
同一でない場合には、他方の携帯通信機器２２０に登録されている特定辞書が必要な特定辞書かどうかを判断し（ステップＳ２４）、必要無い特定辞書である場合には、特定辞書のインストールを行わずに電子メール等の作成を開始する（ステップＳ２８）。必要な特定辞書である場合には、不要辞書が存在するかどうかを判断し（ステップＳ２５）、不要辞書を削除するのであれば、図示しないキーを操作して当該不要辞書を削除する（ステップＳ２６）。
【００２５】
この後、ディスプレイ２１５に一覧として表示された他方の携帯通信機器２２０の特定辞書の中から、一つ又は複数の特定辞書（この実施形態の場合は専門用語辞書の「ゲーム」）を選択して、特定辞書登録部２１２に読み込む（ステップＳ２７）。これによって、特定辞書（専門用語辞書の「ゲーム」）を使って電子メールを効率よく作成することが可能になる（ステップＳ２８）。作成した電子メールは、通信回線２３０を介して他方の携帯通信機器２２０に送信する（ステップＳ２９）。
なお、ステップＳ２１〜ステップＳ２７までの処理を実行した後に一旦通信回線を切断して電子メールを作成し、電子メール作成後に再び通信回線を接続して他方の携帯通信機器２２０に電子メールを送信するようにしてもよい。
この実施形態の携帯端末システムによれば、特定の情報のやりとりを行う複数の携帯通信機器間で、特定辞書の共有化を図ることができるという利点がある。
【００２６】
本発明の好適な実施形態について説明したが、本発明は上記の実施形態により何ら限定されるものではない。
例えば、上記の第二の実施形態では、他方の携帯通信機器２２０から一方の携帯通信機器２１０に特定辞書を送信する場合について説明したが、一方の携帯通信機器２１０から他方の携帯通信機器２２０に特定辞書を送信するようにすることも可能である。
【００２７】
また、第一の実施形態では、記憶手段及び登録削除手段としてパソコン１２０を例に挙げて説明したが、複数の特定辞書を記憶することができる記憶手段であればパソコン１２０に限らずＣＤやＭＯ等の他の記録媒体であってもよく、携帯通信機器内の特定辞書の削除や登録を行うことができるのであれば、パソコン以外の他の端末装置を使用することが可能である。
【００２８】
また、図２のステップＳ１４及び図４のステップＳ２５では、不要辞書について削除を行うかどうかをユーザに問い合わせるようにしているが、必ずしもこのステップは必要ではなく、メモリの容量上新たに特定辞書を追加することが不可能な場合のみ、この問い合わせを行うように構成することも可能である。
さらに、本発明は、携帯電話やＰＨＳ、小型モバイル等の携帯通信機器に限らず、腕時計形の通信機器やその他の小型通信機器にも適用が可能である。
【００２９】
【発明の効果】
本発明によれば、携帯通信機器に適宜に必要な特定辞書をインストールし、この特定辞書を参照しながら変換を行うようにしているので、口語体で電子メールの作成を行う場合や、ビジネス上の専門用語を用いて電子メールの作成を行うような場合に、変換効率に優れる携帯端末システムを得ることができる。
また、インストールした辞書は適宜に削除して新たな特定辞書と入れ替えが可能であるので、状況に応じて辞書機能を切り換えることができ、あらゆる場面で使い勝手のよい携帯端末システムを得ることができる。
【図面の簡単な説明】
【図１】本発明の第一の実施形態にかかり、携帯端末システムの構成を説明する図である。
【図２】第一の実施形態における携帯端末システムの作用を説明するためのフローチャートである。
【図３】本発明の第二の実施形態にかかり、携帯端末システムの構成を説明する図である。
【図４】第二の実施形態における携帯端末システムの作用を説明するためのフローチャートである。
【符号の説明】
１００  携帯端末システム
１１０  携帯通信機器
１１１  標準辞書登録部
１１２  特定辞書登録部
１２０  パソコン（記憶手段、登録・削除手段）
１２０ａ  記憶部
１２１  口語辞書
１２２  専門用語辞書
１２３  方言辞書
１３０  接続ケーブル（接続手段）
２００  携帯端末システム
２１０  携帯通信機器
２１１  標準辞書登録部
２１２  特定辞書登録部
２１５  ディスプレイ
２２０  携帯通信機器
２２１  標準辞書登録部
２２２  特定辞書登録部
２３０  通信回線
【図１】
0004345243.tif 000002
【図２】
0004345243.tif 000003
【図３】
0004345243.tif 000004
【図４】
0004345243.tif 000005